(57)【特許請求の範囲】
【請求項１】
本体内部に設けた送風機から高圧空気を送出し、乾燥室内にこの高圧空気を吹き出して、前記乾燥室に挿入した濡れた手に付着した水滴を吹き飛ばして乾燥させる手乾燥装置であって、
前記乾燥室は、外部に向かって開口し、手を抜き差しする挿入口と、
内壁面に設け、前記乾燥室内に向けて空気を送出するノズルと、
底面に排水口を設け、
前記送風機から送出する高圧空気は、吐出風路を介して前記ノズルから前記乾燥室内に吹出し、
前記本体底部にドレンカップを設け、
このドレンカップと前記排水口を連通するドレン水路は、前記本体の前面に沿って設けられ、前記排水口から前記ドレンカップへと流れた一部の高圧空気は、前記送風機の吸込口に至るまでの吸込風路に循環せず、
前記本体の前面を覆う前面カバーを外したときに、前記ドレン水路と、本体スイッチ部が同時に露出する手乾燥装置。
【請求項２】
前記前面カバーの一部がドレン水路の一部の壁面を兼ねる構成としたことを特徴とする請求項１に記載の手乾燥装置。
【請求項３】
前記排水口は、前記乾燥室の底部前面側に設けた請求項１または２に記載の手乾燥装置。
【請求項４】
前記ドレン水路と前記本体スイッチ部との間に仕切リブを設け、
この仕切リブが前記前面カバーの裏面に当接する請求項１から３のいずれかひとつに記載の手乾燥装置。
【請求項５】
前記乾燥室は、前記挿入口だけを外部に開口し、内側面を閉塞した請求項１から４のいずれかひとつに記載の手乾燥装置。
【請求項６】
前記送風機の吸込口は、前記本体の背面側に設けられた請求項１から５のいずれかひとつに記載の手乾燥装置。
【請求項７】
前記ドレン水路は、前記排水口から前面側に湾曲して設けられた請求項１から６のいずれかひとつに記載の手乾燥装置。
【請求項８】
前記乾燥室の挿入口側を使用者側に前傾させた請求項７に記載の手乾燥装置。
【発明の詳細な説明】
【技術分野】
【０００１】
本発明は、水洗い等で濡れた手を乾燥させるために、洗面所やトイレ、キッチン等で使用する手乾燥装置に関する。
【背景技術】
【０００２】
従来の手乾燥装置は、乾燥室の側面側にドレン水路を確認するためのメンテナンス用の側面パネルを設けていた。
【０００３】
（従来例１）
従来の手乾燥装置には、乾燥室の側面側に気流の吐出開口を設けながら、乾燥室の側面側にドレン水路を確認するためのメンテナンス用の側面パネルを設けたものが知られている。（例えば、特許文献１参照）。
【０００４】
以下、その従来例について図７、８を参照しながら説明する。
【０００５】
図７、８に示すように、従来の手乾燥装置１００は、内部に送風機（図示せず）を備え、この送風機から送られる高圧空気を、上方に設けた乾燥室１０３内に吹き出して、乾燥室１０３に挿入した手１０２に付着した水滴を吹き飛ばすものである。乾燥室１０３は、外部上方に向かって挿入口１０１を開口し、その内壁面に高圧空気を送出するノズル１０４を備えている。手１０２は、挿入口１０１から乾燥室１０３内に抜き差しする。送風機から送られる高圧空気は、吐出風路（図示せず）を介してノズル１０４から高圧空気を送出する。そして、手乾燥装置１００本体の外殻は、外殻パネル１０７で覆われて、箱状に形成されている。そして、その側面は、外殻パネル１０７を覆うようにして、化粧用の側面カバー１０９が設けられている。
【０００６】
ノズル１０４は、乾燥室１０３の前面（使用者から見て手前側）と背面（使用者から見て奥側）に設けられている。
【０００７】
また、乾燥室１０３は、その側面に、通気用開口部１０８が形成され、底部には、中央から左右に下り勾配をなす傾斜面を形成し、その端部に排水口１１０が設けられている。
【０００８】
ドレン水路１１２は、乾燥室１０３の排水口１１０と手乾燥装置１００本体の底面付近に設けたドレンカップ１１１とを連通する。このドレン水路１１２は、外殻パネル１０７と側面カバー１０９との間の空間に設けられ、メンテナンス時には、側面カバー１０９を
取り外して側面から確認できるものである。通気用開口部１０８は、ノズル１０４から吹き出した空気流が乾燥室１０３の挿入口１０１から吹き返さないように、乾燥室１０３内の空気流を外部に排出するものである。
【先行技術文献】
【特許文献】
【０００９】
【特許文献１】再表２００５−１１０１７６号公報
【発明の概要】
【発明が解決しようとする課題】
【００１０】
このような従来の手乾燥装置１００では、吐出気流は手１０２に沿って流れて乾燥室１０３の底面に衝突するが、乾燥室１０３の側面に設けた通気用開口部１０８に向かって内部の気流が流れる。すなわち、底面から側面側への空気が流れるので、底面の端部である両側面に沿った位置にドレン水路１１２を設けなければならなかった。そのため、本体側面側にドレン水路１１２を設け、側面カバー１０９を外してメンテナンスを行っていた。
【００１１】
このように従来の手乾燥装置１００は、乾燥室１０３の側面側にメンテナンス用の側面カバー１０９を設けているため、設置スペースが狭い場合に製品の側面に室内壁が近接すると、メンテナンスできないという課題があった。また、清掃箇所が多くメンテナンスが容易ではないという課題があった。
【００１２】
本発明は、このような従来の課題を解決するものであり、乾燥室の正面側にメンテナンス用開口を設け、製品の側面に室内壁が近接しても、正面から容易にメンテナンスできる手乾燥装置を提供することを目的とする。
【課題を解決するための手段】
【００１３】
本発明の手乾燥装置は、上記目的を達成するために、本体内部に設けた送風機から高圧空気を送出し、乾燥室内にこの高圧空気を吹き出して、前記乾燥室に挿入した濡れた手に付着した水滴を吹き飛ばして乾燥させる手乾燥装置であって、前記乾燥室は、外部に向かって開口し、手を抜き差しする挿入口と、内壁面に設け、前記乾燥室内に向けて空気を送出するノズルと、底面に排水口を設け、前記送風機から送出する高圧空気は、吐出風路を介して前記ノズルから前記乾燥室内に吹出し、前記本体底部にドレンカップを設け、このドレンカップと前記排水口を連通するドレン水路は、前記本体の前面に沿って設けられ、前記本体の前面を覆う前面カバーを外したときに、前記ドレン水路と、本体スイッチ部が同時に露出したことにより、所期の目的を達成するものである。
【発明の効果】
【００１４】
本発明によれば、本体内部に設けた送風機から高圧空気を送出し、乾燥室内にこの高圧空気を吹き出して、前記乾燥室に挿入した濡れた手に付着した水滴を吹き飛ばして乾燥させる手乾燥装置であって、前記乾燥室は、外部に向かって開口し、手を抜き差しする挿入口と、内壁面に設け、前記乾燥室内に向けて空気を送出するノズルと、底面に排水口を設け、前記送風機から送出する高圧空気は、吐出風路を介して前記ノズルから前記乾燥室内に吹出し、前記本体底部にドレンカップを設け、このドレンカップと前記排水口を連通するドレン水路は、前記本体の前面に沿って設けられ、前記本体の前面を覆う前面カバーを外したときに、前記ドレン水路と、本体スイッチ部が同時に露出したことにより、使用者が立つスペースを確保した正面側をメンテナンススペースとすることができる。すなわち、側面側からメンテナンスを行わないので、側面側に洗面台や室内壁が近接した場所にも設置でき、小さなスペースへの設置でも確実にメンテナンスができる。
【図面の簡単な説明】
【００１５】
【図１】本発明の実施の形態１の手乾燥装置の正面図
【図２】同手乾燥装置の側面図
【図３】本発明の実施の形態２の手乾燥装置の正面図
【図４】同手乾燥装置の側断面図
【図５】同手乾燥装置の乾燥室部分の断面図
【図６】従来例１の手乾燥装置の分解斜視図
【図７】同手乾燥装置の乾燥室部分の断面図
【発明を実施するための形態】
【００１６】
本発明に係る手乾燥装置は、本体内部に設けた送風機から高圧空気を送出し、乾燥室内にこの高圧空気を吹き出して、前記乾燥室に挿入した濡れた手に付着した水滴を吹き飛ばして乾燥させる手乾燥装置であって、前記乾燥室は、外部に向かって開口し、手を抜き差しする挿入口と、内壁面に設け、前記乾燥室内に向けて空気を送出するノズルと、底面に排水口を設け、前記送風機から送出する高圧空気は、吐出風路を介して前記ノズルから前記乾燥室内に吹出し、前記本体底部にドレンカップを設け、このドレンカップと前記排水口を連通するドレン水路は、前記本体の前面に沿って設けられ、前記排水口から前記ドレンカップへと流れた一部の高圧空気は、前記送風機の吸込口に至るまでの吸込風路に循環せず、前記本体の前面を覆う前面カバーを外したときに、前記ドレン水路と、本体スイッチ部が同時に露出させて、前面カバーを外してメンテナンスを行う構成としたものである。この構成により、使用者が立つ正面側（前面側）をメンテナンススペースとすることができる。従って、設置スペースが小さく、側面側に室内壁、洗面台などが近接した場所に設置した場合でも、メンテナンスが実施できる。
【００１７】
以下、本発明の実施の形態について、図面を参照しながら説明する。
【００１８】
（実施の形態１）
本実施の形態の手乾燥装置５０は、図１および図２に示すように、箱形の本体の上方に設けた挿入口１から乾燥室３内に手２を差し込んで、濡れた手２に付着した水滴を吹き飛ばして手２を乾燥させるものである。この手乾燥装置５０は、トイレなどの室内壁２６に取り付けられる。
【００１９】
手乾燥装置５０本体の下部には、吐出風路５を介して後述するノズル４から高圧空気を送出する送風機６が内蔵されている。この送風機６は、電動機の回転軸にターボ型の羽根車を装着した遠心送風機である。乾燥室３は、前述したように上方に手２を抜き差しする挿入口１を設け、その内壁面には、乾燥室３内に向けて空気を送出するノズル４が対向した２面に設けられている。さらに、図２に示すように、乾燥室３は、側方から見ると、挿入口１側（すなわち、上部）を使用者Ｕ側（すなわち、手前側）に前傾させている。また、乾燥室３の底部は傾斜していて、その最下部に排水口８が設けられている。この排水口８と本体底部に設けたドレンカップ９とは、ドレン水路１０によって連通されている。このドレン水路１０は、排水口８から本体前面側に曲折し、前面カバー１１に沿って設けられている。この前面カバー１１は、通常の使用時には装着されているものだが、本体内部のメンテナンスなどを行うときには、外して内部を露出するためのものである。図２でも明らかなように、前面カバー１１は、使用者Ｕ側、すなわち、正面側に設けられている。また、ドレン水路１０は、樹脂成形によって形成され、前面カバー１１側を開放した、言わば「溝」形状である。そして、ドレン水路１０の開放側は、前面カバー１１を装着したときに閉塞される構成である。
【００２０】
図１に示すように、ドレン水路１０に隣接して、手乾燥装置５０の電源スイッチ１２が設けられている。この電源スイッチ１２は、前面カバー１１を外したとき、ドレン水路１０とともに露出される。なお、前面カバー１１だけを外した状態では、電源接続用端子台
３１は、露出しておらず、端子台カバー（図示せず）内に納められている（この図では、便宜上、露出した状態で現している）。
【００２１】
また、排水口８は、乾燥室３の中央（Ｃ）よりも正面側から見て左右どちらかに（図１では左側）に寄せて位置して乾燥室３を左右非対称としている。送風機６は、正面側から見て乾燥室３の中央（Ｃ）から、排水口８と逆の方向（図１では、右側）にオフセットして配置している。この送風機６のオフセット寸法Ｌ１は、正面側から見てドレン水路１０の幅寸法Ｌ２より大きい構成としている。この構成により、ドレン水路１０と送風機６を干渉せずにコンパクトに配置できる。なお、本図の場合は、吐出風路５も送風機６同様にオフセットし、スムーズに送風機６からの気流が流れるようにしている。
【００２２】
図２に示すように、送風機６の吸込口は、手乾燥装置５０本体の背面側に設けられている。そして、送風機６の吸込口に至るまでの吸込風路２０は、本体背面側に形成され、本体下部の空気を吸い込む構成である。吸込風路２０の末端にはフィルター２１が設けられている。外気中の埃Ｄやドレン水を吸い込まないようにしている。
【００２３】
そして、図２に示すように、使用者Ｕが水洗い等で濡れた手２を乾燥するには、手を挿入口１から乾燥室３に向かって挿入すると、挿入口１近傍に設けた人感センサー２５が反応して送風機６が運転され、ノズル４から高速の空気が吹き出される。手２から吹き飛ばされた水滴は、ドレン水となってドレン水路１０を通り、ドレンカップ９に溜められる。メンテナンスの際は、前面カバー１１を取り外し、室内壁２６の対面となる正面側から行う。前面カバー１１を外すと、ドレン水路１０の内部が露出され、内部の汚れを清掃できることになる。すなわち、手乾燥装置５０の側面側に洗面台などがあっても邪魔にならずに、容易にメンテナンス作業ができるのである。
【００２４】
また、ドレン水路１０は、排水口８から前面側に湾曲させて、前面カバー１１に沿って設けてドレン水路１０の溝を浅くしたので、ドレン水路１０の奥の汚れまで容易に確認できる。
【００２５】
なお、ドレン水路１０（排水口８）は乾燥室の側面ではなく乾燥室３の左右中央に近い部分に位置させるとよい。これは、乾燥室３の側面側端部に排水口８を設ける場合に比べ、勾配を大きくして排水性をよくすることが可能になる。逆に、同じ勾配であっても乾燥室３の内部空間を大きくして、手を挿入する空間を確保することが可能になる。
【００２６】
また、図１に示すように、前面カバー１１を外すと、電源スイッチ１２が露出される。
【００２７】
このような構成により、前面カバー１１の内部に電源スイッチ１２を設けたので、前面カバー１１を取り外すだけで電源回路を遮断できる。すなわち、作業時に１箇所のパネルの取り外しをするのみで電源を遮断しながら清掃などのメンテナンスができる。さらには、電源接続作業もできることになる。
【００２８】
（実施の形態２）
図３，４，５を用いて第２の実施の形態に着いて説明する。第１の実施の形態と同じ構成については、同一の符号を付して詳細な説明を省略する。
【００２９】
図３は、第２の実施の形態による手乾燥装置５１の下部の前面カバー１１（図３では図示していない）を取り外して正面側から見た状態である。
【００３０】
前面カバー１１を外したときに、ドレン水路１０は、正面から見て左端部に露出される。そして、ドレン水路１０に隣接してスイッチ部１６が設けられている。
【００３１】
ドレン水路１０とスイッチ部１６との間には、仕切リブ１７が設けられている。この仕切リブ１７は、その頂部が前面カバー１１の裏面に当接するように形成されていて、前面カバー１１を本体に装着したときに、ドレン水路１０とスイッチ部１６とを完全に分離するのである。従って、スイッチ部１６側にドレン水が浸入しなくなるのである。
【００３２】
スイッチ部１６には、手乾燥装置５１本体の電源スイッチや、内部に設けられるヒーターに通電するスイッチ、送風機６の送風量を決定するスイッチなどが設けられている。これらのスイッチの状態によって、手乾燥装置５１の運転制御が行われるものである。
【００３３】
また、前面カバー１１を外したときには、端子台カバー３０が露になる。この端子台カバー３０を外し、内部に納められた電源接続用端子台（図示せず）に外部電源の接続作業をおこなう。
【００３４】
図４は、手乾燥装置５１の側断面図である。断面位置は、ドレン水路１０を縦方向に２分する位置で切ったときのものである。
【００３５】
乾燥室３は、図４に示すとおり、挿入口１を前方側に寄せて前傾した形状である。背面側に設けたノズル４ａは、乾燥室３背面から突出した突起部１８に設けられている。そして、前面側に設けたノズル４ｂと対向している。乾燥室３の底面は、前面側に下るような勾配が設けられ、前端部に排水口８が設けられている。さらに、この排水口８は、図５に示すように、底面の側端部（図５では右端）に設けられている。ドレン水路１０は、排水口８から前面側に湾曲した溝の奥の形状（ドレン水路奥１０ａで図示）を有している。このドレン水路１０の下端にドレンカップ９が配置されている。
【００３６】
図５によって、乾燥室３内を説明する。図５は、本体背面に略平行に乾燥室３を縦方向に二分し、背面側から前面側の内壁面を見た図である。ノズル４ｂは、上下２列に並んでいて、挿入する手の先端部分と手の平部分に高圧空気が当たるようにしている。
【００３７】
乾燥室３の底部は、図でみて右側（正面から見ると左側）に下る勾配が設けられている。そして、その端部に排水口８が設けられている。
【００３８】
乾燥室３は、挿入口１以外の面には開口部を設けていない。そして、ノズル４ａは突起部１８によって、その吹出し方向を下方に向けられている。すなわち、ノズル４ａから吹き出した高圧空気は、挿入した手に当たった後、乾燥室３の底面側に流れる。この高圧空気の流れによって、手から吹き飛ばされた水滴は底面に設けた排水口８へと効率的に運ばれるのである。底面に衝突した高圧空気は、一部は、排水口８からドレンカップ９へと流れるが、そのほとんどが乾燥室３の背面、および側面側にそって挿入口１側から排出される。
【００３９】
なお、本実施の形態では、排水口８を乾燥室３の側面に寄せてあるが、完全に側面に寄せる必要はなく、幾分中心側に設けても良い。
【産業上の利用可能性】
【００４０】
手乾燥装置などの手の乾燥目的以外に、ノズル構造を用いた設備乾燥機器への転用で、短時間で物体を乾燥させることができる工業用の乾燥用途にも適用できる。
【符号の説明】
【００４１】
１    挿入口
２    手
３    乾燥室
４    ノズル
５    吐出風路
６    送風機
８    排水口
９    ドレンカップ
１０  ドレン水路
１１  前面カバー
１２  電源スイッチ
１６  スイッチ部
１７  仕切リブ
３０  端子台カバー
３１  電源接続用端子台
５０  手乾燥装置
５１  手乾燥装置
【図１】
0005909633.tif 000002
【図２】
0005909633.tif 000003
【図３】
0005909633.tif 000004
【図４】
0005909633.tif 000005
【図５】
0005909633.tif 000006
【図６】
0005909633.tif 000007
【図７】
0005909633.tif 000008